(57)【要約】【課題】追焚きまたは保温開始時の風呂熱交換器内の高温残留浴槽水による火傷の危険性を確実になくす。【解決手段】温水を貯湯する貯湯缶体１と、前記貯湯缶体１内に配置された風呂熱交換器１７と、前記風呂熱交換器１７と浴槽３とを循環可能に接続する風呂循環回路１８と、浴槽水を循環させる風呂循環ポンプ２０とを備えた貯湯式給湯風呂装置で、前記風呂循環回路１８に前記風呂熱交換器１７をバイパスするバイパス管２２を設け、前記バイパス管２２及び風呂熱交換器１７側及び浴槽３側のそれぞれを接続する接続口を有する流路切換手段２３を備え、前記流路切換手段２３は各接続口を個別に閉塞すると共に、全接続口を開放可能としたので、高温水の浴槽３への放出を防止し火傷の危険を未然阻止出来ることは勿論、追焚き、片搬送、両搬送、水位検知、浴湯温度検知が容易に行われ、極めて使用勝手が良く良好な貯湯式給湯風呂装置が得られるものである。【選択図】図１
2006177625.tif 000002
【特許請求の範囲】
【請求項１】
温水を貯湯する貯湯缶体と、前記貯湯缶体内に配置された風呂熱交換器と、前記風呂熱交換器と浴槽とを循環可能に接続する風呂循環回路と、浴槽水を循環させる風呂循環ポンプとを備えた貯湯式給湯風呂装置に於いて、前記風呂循環回路に前記風呂熱交換器をバイパスするバイパス管を設け、前記バイパス管及び風呂熱交換器側及び浴槽側のそれぞれを接続する接続口を有する流路切換手段を備え、前記流路切換手段は各接続口を個別に閉塞すると共に、全接続口を同時に開放可能とした事を特徴とする貯湯式給湯風呂装置。
【請求項２】
前記流路切換手段を三方弁で構成し、流入側の接続口に風呂往き管を接続し、２つの流出側の接続口の内一方には風呂熱交換器の入り口側を接続し、他方にはバイパス管を接続し、前記風呂往き管には、風呂温度センサ及び水位センサ及び風呂循環ポンプ及び湯張り管が備えられている事を特徴とする請求項１記載の貯湯式給湯風呂装置。
【発明の詳細な説明】
【技術分野】
【０００１】
この発明は、貯湯缶体内の温水との間接熱交換により浴槽内の浴槽水の追焚き又は保温及び、貯湯缶体内の温水を浴槽内に直接供給する湯張りを行う貯湯式給湯風呂装置に関するものである。
【背景技術】
【０００２】
従来よりこの種の貯湯式給湯風呂装置では、風呂循環回路に貯湯缶体内に設けられた間接熱交換器を接続し、貯湯缶体内の温水を利用して電熱ヒータ等を用いなくとも浴槽の追焚きや保温をできるようにしたものであった。（例えば、特許文献１参照）
【特許文献１】特開平１１−８３１５６号公報
【発明の開示】
【発明が解決しようとする課題】
【０００３】
ところでこの従来のものでは、浴槽の追焚きや保温の運転を行っていない時に間接熱交換器内に残された浴槽水が貯湯缶体内の温水と熱交換して貯湯缶体内の高温の温水とほぼ同じ温度まで沸き上げられてしまい、追焚きや保温の開始時に高温の温水が浴槽内に流入してしまって入浴者が火傷を負ってしまう危険性があるという問題があった。
【課題を解決するための手段】
【０００４】
この発明はこの点に着目し、上記欠点を解決する為、特にその構成を、請求項１では、温水を貯湯する貯湯缶体と、前記貯湯缶体内に配置された風呂熱交換器と、前記風呂熱交換器と浴槽とを循環可能に接続する風呂循環回路と、浴槽水を循環させる風呂循環ポンプとを備えた貯湯式給湯風呂装置に於いて、前記風呂循環回路に前記風呂熱交換器をバイパスするバイパス管を設け、前記バイパス管及び風呂熱交換器側及び浴槽側のそれぞれを接続する接続口を有する流路切換手段を備え、前記流路切換手段は各接続口を個別に閉塞すると共に、全接続口を同時に開放可能としたものである。
【０００５】
又請求項２では、前記流路切換手段を三方弁で構成し、流入側の接続口に風呂往き管を接続し、２つの流出側の接続口の内一方には風呂熱交換器の入り口側を接続し、他方にはバイパス管を接続し、前記風呂往き管には、風呂温度センサ及び水位センサ及び風呂循環ポンプ及び湯張り管が備えられているものである。
【発明の効果】
【０００６】
この発明によれば、暖房運転から貯湯運転に切換ても湯水の沸き上げ温度が低下することがなく、高温に沸き上げることが出来、貯湯タンク内に残っている高温水の温度を下げる心配もなく、残湯を無駄にすることなく有効に使用出来、極めて経済的で効率の良い貯湯式給湯暖房装置を提供出来るものである。
【０００７】
又請求項２では、上記の火傷防止の他に、風呂循環回路を利用した片搬送湯張りや両搬送湯張りが行え、更に湯張り時の湯温検知や浴槽の水位検知が容易に行われ、スムーズな湯張りにより湯張り時間の短縮が図られるものである。
【発明を実施するための最良の形態】
【０００８】
次にこの発明の貯湯式給湯暖房装置の一実施形態について説明する。
１は温水を貯湯する貯湯缶体、２は温水を加熱する加熱手段としてのヒートポンプユニット、３は浴槽である。
【０００９】
４は貯湯缶体１とヒートポンプユニット２を循環可能に接続する加熱循環回路で、加熱循環ポンプ５を有し貯湯缶体１の下部に接続されたヒーポン往き管４ａ及び貯湯缶体１上部に接続されたヒーポン戻り管４ｂより構成され、貯湯缶体１下部の冷水をヒーポン往き管４ａを介してヒートポンプユニット２で加熱し、加熱された高温の温水をヒーポン戻り管４ｂで貯湯缶体１上部に戻して貯湯缶体１内に温水を加熱貯湯するものである。なお、貯湯缶体１の外周面には縦に複数個の貯湯温度センサ６ａ、６ｂ、６ｃ、６ｄを有しており、この貯湯温度センサが所定温度以上を検出することで貯湯量を検知するものである。
【００１０】
７は貯湯缶体１に水を供給する給水管、８は貯湯缶体１内の温水を出湯する出湯管、９は給水管７からの冷水と出湯管８からの温水を設定温度になるように混合する混合弁、１０は混合された設定温度の温水を給湯する給湯管、１１は給湯管１０の端部に設けられる蛇口である。１２は混合弁９の下流に設けた給湯温度センサ、１３は給湯量をカウントする給湯流量センサである。なお、１４は水道圧を所定の圧力に減圧する減圧弁、１５は加熱されることによる過圧を逃がす圧力逃し弁である。
【００１１】
１６は風呂循環回路で、貯湯缶体１内に設けられた蛇管よりなる風呂熱交換器１７と浴槽３とを風呂戻り管１６ａ及び風呂往き管１６ｂとで循環可能に接続するものである。１８は流水の有無を検知する流水センサ、１９は風呂循環回路１６を流れる浴槽水の温度を検出する風呂温度センサ、２０は風呂循環回路１６に設けられた風呂循環ポンプ、２１は浴槽水の水圧から浴槽３内の水位を検出する水位センサである。
【００１２】
２２は風呂熱交換器１７をバイパスして風呂戻り管１６ａと風呂往き管１６ｂとを接続するバイパス管で、このバイパス管２２の風呂往き管１６ｂとの接続部分には流路切換手段を構成する三方弁２３が備えられている。
【００１３】
前記三方弁２３は、流入側の接続口２３ａに風呂往き管１６ｂを接続し、２つの流出側の接続口２３ｂ、２３ｃの内一方の接続口２３ｂには風呂熱交換器１７の入り口側を接続し、他方の接続口２３ｃにはバイパス管２２が接続しており、ステッピングモーター２４の駆動で内方の弁体２５を動かして、全接続口２３ａ、２３ｂ、２３ｃを個別に閉塞すると共に、全接続口２３ａ、２３ｂ、２３ｃを開放状態とすることも可能としたもので、変形の構造としており、図２に示すように下方を接続口２３ａとし、この上に左右１８０度離れて接続口２３ｂ、２３ｃを、又その裏側にステッピングモーター２４を備えたＴ字型と、図３に示すように接続口２３ａは下方で、その上に左右９０度離れて接続口２３ｂ、２３ｃを、又この上方にステッピングモーター２４を備えたＬ字型とがある。
【００１４】
２５は給湯管１０途中から分岐されて風呂循環回路１８に接続され浴槽３への湯張りを行うための湯張り管、２６はこの湯張り管２５に設けられ浴槽３への湯張りの開始、停止を行う湯張り弁、２７は浴槽３への湯張り量をカウントする風呂流量センサである。
【００１５】
２８はヒートポンプユニット２の加熱制御を行う加熱制御部、２９は給湯および風呂の制御を行う給湯風呂制御部である。
【００１６】
次に、この貯湯式給湯風呂装置の特徴的作動を以下に説明する。
前記給湯風呂制御部２９に接続されたリモコン（図示せず）にて風呂の追焚きが指示されると、給湯風呂制御部２９は三方弁２３を風呂熱交換器１７側に切換えた図４（ア）の状態となって風呂循環ポンプ１８を駆動し、浴槽３内の浴槽水を貯湯缶体１内の高温の温水中に設けられた風呂熱交換器１７を流通させ、貯湯缶体１の貯湯温水の熱を利用して浴槽水を加熱するものである。貯湯缶体１の温水を用いて浴槽３内の温水を追焚きあるいは保温可能にしたため、追焚きあるいは保温専用の電熱ヒータが不要となり、コストの低減および電力消費量の低減を計れるものである。
【００１７】
そして、追焚きまたは保温を停止すると風呂熱交換器１７内に浴槽水が残留して貯湯缶体１内の高温の温水と熱交換され高温に加熱されてしまう。しかし、この発明では風呂の追焚きまたは保温を開始する際には、給湯風呂制御部２９は三方弁２３を図４（イ）の状態として風呂熱交換器１７側とバイパス管２２側の両方に温水を流し、風呂熱交換器１７内の高温水にバイパス管２２を介して低温水を供給し、温度低下を図って火傷の危険を未然に防止するものであり、常に安心して使用出来るものである。
【００１８】
次にこの三方弁２３の図４（ア）の状態に戻す切換時期は、所定時間の経過ここでは１分経過或いは、風呂温度センサ１９が所定温度ここでは６０℃以下を検知した時とし、後は従来の追焚きまたは保温と同様の流れで行われるものである。
又三方弁２３のステッピングモーター２４に加えられる電圧或いは電流を下げて、図４（ア）の状態から（イ）状態にゆっくりと４〜５分かけて回動するようにしても良いものである。
【００１９】
更に三方弁２３の風呂熱交換器１７側を閉塞した図４（ウ）の状態では、バイパス管２２を通り風呂熱交換器１７を迂回するバイパス経路が形成されることで、追焚きや保温運転前の風呂温度センサ１９による浴槽水温度の確認動作と、湯張り時に風呂往き管１６ｂ及び風呂戻り管１６ａの両方を使用した両搬送湯張り動作とが行われるものである。
【００２０】
又三方弁２３の風呂往き管１６ｂ側を閉塞した図４（エ）の状態では、水位センサ２１による浴槽３の水位確認動作及び、風呂循環ポンプ２０への呼び水動作、風呂往き管１６ｂのみによる片搬送湯張り動作が行われ、この湯張り動作では、先ず呼び水動作後に片搬送湯張りを行ってから両搬送湯張りをして、最後に設定温度までの追焚きを行い湯張り時間の短縮を図るものであり、所定量のカウントは湯張り管２５に備えた風呂流量センサ２７で行うものである。
【００２１】
次に風呂循環回路１８の配管洗浄動作では、浴槽３の排水栓（図示せず）を開放した状態で、三方弁２３を（ウ）の状態として先ず両搬送で温水を流した後、（イ）の状態に切換て風呂熱交換器１７及びバイパス管２２の両方に温水を流し、そして（ア）の状態で風呂熱交換器１７側のみに温水をながしてから、再び（イ）の状態にした後に（ウ）の状態に戻して終了するもので、風呂熱交換器１７及びバイパス管２２及び風呂循環回路１８内の塵の付着を洗い流して洗浄し、常に効率よく追焚き、保温、湯張りが行えるようにしたものである。
【００２２】
以上のようにバイパス管２２の接続部分に特殊な三方弁２３で流路切換手段を構成したことで、追焚き時の初期はバイパス管２２から低温水を混入して、高温水の浴槽３への放出を防止し火傷の危険を未然阻止出来ることは勿論、全接続口２３ａ、２３ｂ、２３ｃを個別に閉塞すると共に、全接続口２３ａ、２３ｂ、２３ｃを開放状態と出来ることにより、追焚き、片搬送、両搬送、水位検知、浴湯温度検知が容易に行われ、極めて使用勝手が良く良好な貯湯式給湯風呂装置が得られるものである。
【図面の簡単な説明】
【００２３】
【図１】この発明の一実施形態の概略構成図。
【図２】同Ｔ字型の三方弁を示す説明図。
【図３】同Ｌ字型の三方弁を示す説明図。
【図４】同三方弁の動作説明図。
【符号の説明】
【００２４】
１  貯湯缶体
２  ヒートポンプユニット（加熱手段）
３  浴槽
１７  風呂熱交換器
１８  風呂循環回路
２０  風呂循環ポンプ
２２  バイパス管
２３  三方弁（流路切換手段）
２３ａ、２３ｂ、２３ｃ  接続口
【図１】
2006177625.tif 000003
【図２】
2006177625.tif 000004
【図３】
2006177625.tif 000005
【図４】
2006177625.tif 000006